(57)【要約】【課題】建物内の２４時間換気を実施しながら、建物内の冷暖房を行い、空気を清浄化する機能を有する空調システムにおいて、部屋内の空調温度差を抑制し、空調効率の向上を図る。【解決手段】給気経路１４を経て導入される外気を部屋１内へ供給するため、壁部Ｗの上方に上部給気口２１が設けられ、床部Ｆに下部給気口２２が設けられている。給気経路１４は、分岐部２４にて上部給気経路１４ａと下部給気経路１４ｂとに分かれ、上部給気経路１４ａは上部給気口２１に連通し、下部給気経路１４ｂは下部給気口２２に連通している。分岐部２４には、外気の方向を、上部給気経路１４ａの方向または下部給気経路１４ｂへ切り替える給気切替手段２３が設けられている。給気切替手段２３には、外気の温度（給気温度）を感知して作動する自動切替機構が設けられている。【選択図】図１
2015055434.tif 000002
【特許請求の範囲】
【請求項１】
温度調節された熱媒を内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路と、を備えた空調システムにおいて、
前記給気経路を経由して導入される外気を前記建物内へ供給するため、前記建物の部屋内の上方並びに下方に、前記給気経路と連通する上部給気口並びに下部給気口を設け、前記給気経路から前記上部給気口または前記下部給気口のいずれに前記外気を供給するかを切り替える給気切替手段を設けたことを特徴とする空調システム。
【請求項２】
温度調節された熱媒を内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路と、を備えた空調システムにおいて、
前記給気経路を経由して導入される外気を前記建物内へ供給するため、前記建物の部屋内に前記給気経路と連通する給気口を設け、前記給気口から前記部屋内に吹き出す外気の方向を少なくとも天井側または床面側に変更可能な風向切替手段を設けたことを特徴とする空調システム。
【請求項３】
前記風向切替手段または前記給気切替手段に、前記熱交換器にて温度調節され前記給気手段で供給される外気の温度を感知し、予め設定された作動温度に基づいて作動する自動切替機構を設けた請求項１または２記載の空調システム。
【請求項４】
前記給気経路を、前記建物の壁体内部、床下空間内若しくは上階と下階との間の階間空間内のいずれか１以上にダクトレス空間を気密状に形成し、前記ダクトレス空間を前記給気経路の少なくとも一部をなす通気経路とした請求項１〜３のいずれかに記載の空調システム。
【請求項５】
前記上部給気口及び前記下部給気口に、吹き出し風量を変更するための開閉機構を設けた請求項１記載の空調システム。
【請求項６】
前記下部給気口を、
前記建物内の部屋の出入り口の開閉手段の動作範囲の下方に位置する床面、
前記建物内の物品収納部の開閉手段の動作範囲の下方に位置する床面、
または前記開閉手段に臨む領域に位置する床面に設けた請求項１記載の空調システム。
【発明の詳細な説明】
【技術分野】
【０００１】
本発明は、建物内の２４時間換気を実施しながら、建物内の冷暖房を行い、空気を清浄化する機能を有する空調技術に関する。
【背景技術】
【０００２】
建築物の内部の冷暖房を行う空調システムとしては、所謂、ルームエアコンなどの空調装置を用いたものが代表的である。従来の空調装置は、室外機で適度に温度調節された空気流を室内機から建物内に吹き出すことにより空調を行うものであるが、特に夏の暑い時季は、室内機から吹き出す空調空気によって生じる気流感により涼しく感じることができるが、場合によってはドラフトという不快な現象が発生することがある。
【０００３】
そこで、室内に配置された放熱器に熱媒を循環供給し、放熱器から輻射される熱気や冷気により室内の空調を行う方式が提案されている（例えば、特許文献１参照。）。特許文献１記載の「冷暖房システム」は、冷暖房パネルと、この冷暖房パネルの内部に高温あるいは低温の流体を流通させる流体供給装置とを備え、流体供給装置として、配管と、ポンプと、燃料ボイラと、ヒートポンプとが設けられている。
【０００４】
一方、前述した放熱器を使用した空調システムではないが、本発明に関連する従来技術として、例えば、特許文献２記載の「空調方法」及び特許文献３記載の「建物の床構造」などがある。
【０００５】
特許文献２，３には、室内機は、暖気または冷気を吹き出す吹出口と、室内側から空気を吸い込む吸込口とを備え、室内機の吹出口から吹き出される暖気または冷気は、建物内に設けられた送気路により１階の床下空間と、２階の床下空間とに吹き込まれること、及び、１階の床下空間と２階の床下空間に対する暖気または冷気の吹き込み量を変化させる分流手段を設けたことが記載されている。特許文献２記載の「空調方法」及び特許文献３記載の「建物の床構造」は、冷暖房中に部屋の内部で生じ易い温度差を抑制する効果を発揮する。
【先行技術文献】
【特許文献】
【０００６】
【特許文献１】特開２００８−１２１９０７号公報
【特許文献２】特開２００９−２８１６１３号公報
【特許文献３】実用新案登録第３１５５６９０号公報
【発明の概要】
【発明が解決しようとする課題】
【０００７】
特許文献１に記載された「冷暖房システム」は、無風状態でありながら、放熱器からの輻射作用により快適な空調空間を実現することができるが、放熱器が配置された部屋内において対流が発生し難い場合、部屋内の空調温度に格差（温度ムラ）が生じ、空調効率を低下させる要因となっている。
【０００８】
一方、特許文献２記載の「空調方法」及び特許文献３記載の「建物の床構造」は、室外機で適度に温度調節された空気流を室内機から建物内に吹き出すことにより空調を行う方式であるため、室内に配置された放熱器に熱媒を循環供給し、放熱器から輻射される熱気や冷気により室内の空調を行うシステムとは原理的に異なる部分が多く、特許文献２，３記載の空調方式を放熱器方式の空調システムに用いることは実用上あり得ない。
【０００９】
本発明が解決しようとする課題は、建物内の２４時間換気を実施しながら、建物内の冷暖房を行い、空気を清浄化する機能を有する空調システムにおいて、部屋内の空調温度差を抑制し、空調効率の向上を図ることにある。
【課題を解決するための手段】
【００１０】
本発明の空調システムは、温度調節された熱媒を内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路と、を備えた空調システムにおいて、
前記給気経路を経由して導入される外気を前記建物内へ供給するため、前記建物の部屋内の上方並びに下方に、前記給気経路と連通する上部給気口並びに下部給気口を設け、前記給気経路から前記上部給気口若しくは前記下部給気口のいずれに前記外気を供給するかを切り替える給気切替手段を設けたことを特徴とする。
【００１１】
このような構成とすれば、冷房時は、給気手段で導入され熱交換器にて冷却された外気を上部給気口から天井を這うように導入することができ、暖房時は、給気手段で導入され熱交換器にて加熱された外気を下部給気口から床面を這うように導入することができるので、部屋内の上方領域と下方領域との間で発生し易い空調温度の格差を解消することができ、空調効率も向上する。この場合、上部給気口、下部給気口から部屋内へ導入された外気が放熱器に接触して部屋内へ拡散するように、上部給気口、下部給気口及び放熱器を配置することが望ましい。
【００１２】
また、本発明の空調システムは、温度調節された熱媒を内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記第１熱交換器と前記熱源機との間で前記熱媒を循環させる第２流通経路と、を備えた空調システムにおいて、
前記給気経路を経由して導入される外気を前記建物内へ供給するため、前記建物の部屋内に前記給気経路と連通する給気口を設け、前記給気口から前記部屋内に吹き出す外気の方向を少なくとも天井側または床面側に変更可能な風向切替手段を設けたことを特徴とする。
【００１３】
このような構成とすれば、冷房時は、熱交換器にて冷却され給気手段で部屋内に導入される外気を給気口から部屋内の上方領域に向けて吹き出すことにより、天井を這うように外気を導入することができ、暖房時は、熱交換器にて加熱され給気手段で部屋内に導入される外気を給気口から部屋内の下方領域に向けて吹き出すことにより、床面を這うように外気を導入することができるので、部屋内の空調温度の格差を解消することができ、空調効率も向上する。
【００１４】
ここで、前記風向切替手段または前記給気切替手段に、予め設定された作動温度に基づいて、前記熱交換器にて温度調節され前記給気手段で供給される外気の温度を感知して作動する自動切替機構を設けることができる。
【００１５】
このような構成とすれば、自動切替機構は、予め設定された作動温度に基づいて、冷房時、暖房時の温度調節された外気の温度を感知して給気経路を確実に切り替えることが可能となり、冷房時は上方から、暖房時は下方から自動的に外気を吹き出すことができるので、空調効率が向上する。なお、自動切替機構の駆動手段として、ワックスセンサを使用すれば、モータ駆動用の電源や配線などが不要となるため、設置が容易となる。
【００１６】
また、前記建物の壁体内部、床下空間内若しくは上階と下階との間の階間空間内のいずれか１以上にダクトレス空間を気密状に形成し、前記ダクトレス空間を前記給気経路の一部をなす通気経路とすることができる。
【００１７】
このような構成とすれば、給気経路を経由して建物内に導入された外気を、前記ダクトレス空間を通気経路として利用して各部屋に供給することが可能となるので、建物内に外気導入用のダクトを施工する必要がなくなり、資材の削減及び施工の容易化を図ることができる。また、前記通気経路として利用する前記ダクトレス空間には、熱交換器で温度調節された外気が流通するので、前記ダクトレス空間を区画形成する壁面、床面あるいは天井面を介して部屋内に輻射効果が生じるので、空調効果が向上する。
【００１８】
また、前記上部給気口及び前記下部給気口に、吹き出し風量を変更するための開閉機構を設けることができる。
【００１９】
このような構成とすれば、冷房時は上部給気口を開放し、下部給気口を閉止することにより、上部給気口から部屋内の天井面側（上方領域）へ冷却された外気を吹出し、暖房時は上部給気口を閉止し、下部給気口を開放することにより部屋内の床面側（下方領域）へ加熱された外気を吹出すように設定することが可能となるので、季節に応じた、空調温度ムラのない空調を行うことができ、空調効率の向上に有効である。
【００２０】
前記下部給気口を、
前記建物内の部屋の出入り口の開閉手段の動作範囲の下方に位置する床面、
前記建物内の物品収納部の開閉手段の動作範囲の下方に位置する床面、
または前記開閉手段に臨む領域に位置する床面に設けることもできる。
【００２１】
ここで、「前記開閉手段に臨む領域に位置する床面」とは、前記建物の居住者などが前記部屋や前記物品収納部を使用するとき、即ち、居住者などが前記開閉手段を開いて部屋に出入りしたり、物品収納部に物品を出し入れたりするときに、人や物が通過する領域に位置する床面をいう。
【００２２】
建物の内部において前述した場所に位置する床面は、本来、家具や調度品などを設置できない場所であるため、これらの場所に下部給気口を設ければ、下部給気口を設置する場所の選定に迷う必要がなく、家具や調度品などの配置状態が制約されることもなくなる。また、これらの場所に下部給気口を設ければ、壁面の上方に設けられることの多い、排気経路の排気口に向かって空気が流動するときに、部屋内を淀みなく空気流が通過するので、より確実な空調作用、換気作用を得ることができる。
【発明の効果】
【００２３】
本発明により、建物内の２４時間換気を実施しながら、建物内の冷暖房を行い、空気を清浄化する機能を有する空調システムにおいて、部屋内の空調温度差を抑制し、空調効率の向上を図ることができる。
【図面の簡単な説明】
【００２４】
【図１】本発明の第１実施形態である空調システムの構成を示す一部省略図である。
【図２】本発明の第２実施形態である空調システムの構成を示す一部省略図である。
【図３】本発明の第３実施形態である空調システムの構成を示す図である。
【図４】本発明の第４実施形態である空調システムの構成を示す図である。
【図５】図２中の矢線Ａで示す領域の一部省略斜視図である。
【発明を実施するための形態】
【００２５】
以下、図１〜図６に基づいて本発明の実施形態である空調システム１００，２００，３００，４００，５００について説明する。
【００２６】
図１に示すように、本発明の第１実施形態である空調システム１００は、温度調節された熱媒を内部に流通させ表面から暖気若しくは冷気を放出して空調を行うため建物１０内の複数の部屋１内に配置された輻射型の放熱器１１と、前記熱媒の温度調節を行うため建物１０外に配置された熱源機（ヒートポンプ）１２と、放熱器１１と熱源機１２との間で前記熱媒を循環させる第１流通経路１３と、建物１０内に外気を導入して建物１０内の気圧を正圧に保持するための給気経路１４及び給気手段（ファン）１５と、給気手段１５で導入される外気を浄化する清浄化手段（フィルタ）１６と、給気手段１５で導入される外気の温度調節を行う熱交換器１７と、熱交換器１７と熱源機１２との間で前記熱媒を循環させる第２流通経路１８とを備え、さらに建物１０内の部屋１の空気が流出可能な排気経路（図示せず）を部屋１及びその他の部屋（図示せず）に備えている。
【００２７】
給気手段１５のサイズ（性能）などは、限定しないが、建物１０に応じて、建築基準法で定められている必要換気量（０．５回／ｈ）を満たすことができるサイズ（性能）のものを選定することができる。なお、図１においては、建物１０内の一つの部屋１に放熱器１１などを設置した状態を示しているが、これに限定するものではなく、部屋１以外に複数の部屋が配置された建物においても同様に施工することができる。
【００２８】
また、給気経路１４を経由して導入される外気を建物１０の部屋１内へ供給するため、部屋１の壁部Ｗの上方に上部給気口２１が設けられ、部屋１の下部である床部Ｆに下部給気口２２が設けられている。給気経路１４は、分岐部２４において上部給気経路１４ａと下部給気経路１４ｂとに分かれ、上部給気経路１４ａは上部給気口２１に連通し、下部給気経路１４ｂは下部給気口２２に連通している。
【００２９】
分岐部２４には、給気経路１４を経由して供給される外気を、天井部Ｃ側の上部給気口２１に向かう上部給気経路１４ａの方向若しくは床部Ｆ側の下部給気口２２に向かう下部給気経路１４ｂの方向に切り替えるための給気切替手段２３が設けられている。給気切替手段２３には、熱交換器１７にて温度調節され給気経路１４を経由して供給される外気温度（給気温度）を感知して、予め設定された作動温度に基づいて、作動する自動切替機構が設けられている。
【００３０】
具体的には、給気切替手段２３は、温度調節された外気温度で作動するワックスセンサ２３ａと、開閉羽根２３ｂと、リンク２３ｃとからなる。暖房時は、図１（ｂ）に示すように、ワックスセンサ２３ａのシリンダ内に封入されたワックスが膨張してピストン（いずれも図示せず）が飛び出し、リンク２３ｃを押して下部給気流路１４ｂが開放され、上部給気流路１４ａが閉止される。冷房時は、図１（ａ）に示すように、前記ワックスが凝縮して引きスプリング（図示せず）によりピストンが縮み、上部給気経路１４ａが開放され、下部給気経路１４ｂが閉止される。
【００３１】
前述したように、冷房時は図１（ａ）に示すように、分岐部２４の給気切替手段２３は、給気経路１４内を流動してきた外気（熱交換器１７で温度調節された冷気）の温度を感知して、分岐部２４において上部給気経路１４ａ側を開放し、下部給気経路１４ｂ側を閉止するので、給気経路１４を経由して供給される外気（熱交換器１７で温度調節された冷気）は上部給気経路１４ａに流入し、上部給気口２１から部屋１内へ吹き出される。
【００３２】
暖房時は図１（ｂ）に示すように、分岐部２４の給気切替手段２３は、給気経路１４を経由して供給される外気（熱交換器１７で温度調節された暖気）の温度を感知して、分岐部２４において上部給気経路１４ａ側を閉止し、下部給気経路１４ｂ側を開放するので、給気経路１４を経由して供給される外気（熱交換器１７で温度調節された暖気）は下部給気経路１４ｂに流入し、下部給気口２２から部屋１内へ吹き出される。
【００３３】
一方、部屋１内に配置される放熱器１１は金属製、セラミックス製あるいは合成樹脂製のものを使用できるが、耐腐食性などの耐久性の観点から、本実施形態では合成樹脂製のものを使用している。具体的には、ＰＰＲ（ポリプロピレンランダムコポリマ樹脂）で形成された柵状パネルを前後２枚重ね構造とした放熱器などが好適である。また、本実施形態では、第１流通経路１３を経由して熱源機１２と放熱器１１との間を循環する熱媒として水を使用しているが、これに限定されるものではない。
【００３４】
図１に示す空調システム１００において熱源機１２及び給気手段１５を稼働させると、熱源機１２において温度調節された熱媒が、第１流通経路１３を経由して部屋１内の放熱器１１との間で循環するとともに、第２流通経路１８を経由して熱交換器１７との間で循環する。
【００３５】
従って、季節（気温）に応じて熱源機１２で温度調節された熱媒を、第一流通経路１３を経由して、建物１０内の部屋１に配置された放熱器１１に循環させることにより、放熱器１１から放出される暖気若しくは冷気により、部屋１内を適切な温度で暖房したり、冷房したりする輻射空調を行うことができる。また、空調システム１００においては、建物１０内に電動式の送風ファンなどを設ける必要がないので、当該空調システム１００が稼働しているときも建物１０内を静寂に保つことができる。
【００３６】
これと並行して、給気手段１５により、建物１０の外部から、清浄化手段１６を通過して吸い込まれた外気が熱交換器１７及び給気経路１４を経由して流入し、前述したように外気温度に応じて、分岐部２４の給気切替手段２３おいて流動方向が切り替えられ、上部給気経路１４ａ若しくは下部給気経路１４ｂのいずれかに流入する。
【００３７】
即ち、夏場（冷房時）は、図１（ａ）に示すように、給気切替手段２３により、上部給気経路１４ａ側が開放され、下部給気経路１４ｂ側が閉止されるので、外気（熱交換器１７で温度調節された冷気）は上部給気経路１４ａに流入し、壁部Ｗ上方の上部給気口２１から部屋１内へ吹き出される。上部給気口２１から吹き出した冷気は、天井部Ｃを這うように流動し、矢線で示すように、放熱器１１に接触した後、部屋１内を循環するので、部屋１内に対流が発生し、部屋１内をムラなく冷房することができる。
【００３８】
冬場（暖房時）は、図１（ｂ）に示すように、給気切替手段２３により、上部給気経路１４ａ側が閉止され、下部給気経路１４ｂ側が開放されるので、外気（熱交換器１７で温度調節された暖気）は下部給気経路１４ｂに流入し、床部Ｆの下部給気口２１から部屋１内へ吹き出される。下部給気口２１から吹き出した暖気は、床部Ｆを這うように流動し、矢線で示すように、放熱器１１に接触した後、部屋１内を循環するので、部屋１内に対流が発生し、部屋１内をムラなく暖房することができる。
【００３９】
このように、給気経路１４を経由して導入された外気（熱交換器１７で温度調節された冷気若しくは暖気）の温度を感知して、給気切替手段２３が外気の流動方向を上部給気経路１４ａ若しくは下部給気経路１４ｂのいずれかに切り替えるので、季節に応じた、温度ムラのない空調を行うことができ、空調効率の向上に有効である。
【００４０】
また、給気手段１５により導入される外気は、清浄化手段１６で浄化され、熱交換器１７で適切な温度に調節され、建物１０内の気圧を正圧に保持できるような風圧（風量）で建物１０内に供給される。即ち、給気手段１５の送風能力及び排気経路（図示せず）の開度は、建物１０内の気圧が正圧を維持することができるように設定され、熱源機１２及び給気手段１５はいずれも連続稼働（所謂、２４時間運転）することができるので、空調システム１００は、第２種換気方式の２４時間換気機能を発揮する。
【００４１】
従って、屋外の汚染物質などが外気に伴って建物１０内へ侵入するのを防止しながら、建物１０内を常に快適で清浄な雰囲気に保つことができる。また、暖房及び冷房が不要な中間期においては、熱源機１２の運転を停止して、放熱器１１及び熱交換器１７の機能を停止する一方、給気手段１５を連続運転することにより、第２種換気方式の２４時間換気を行うことができる。なお、清浄化手段１６としては、空気中の塵埃などを捕捉する機能を有するフィルタが好適であるが、エアワッシャなどを使用することもできる。
【００４２】
なお、空調システム１００においては、第２種換気方式を採用しているが、これに限定するものではないので、例えば、第１種換気方式を採用することもできる。第１種換気方式は、給気及び排気の両方を電動ファンなどの機械的送気手段を用いて行う換気方式であるため、給気量＞排気量となるように給排気量を設定すれば、前述した第２種換気方式と同様の効果を得ることができる。
【００４３】
次に、図２〜図５に基づいて、本発明の第２〜第５実施形態である空調システム２００，３００，４００について説明する。なお、図２〜図５中において、図１に示す空調システム１００を構成する部分と同様の構造、機能を有する部分については、図１中の符号と同符号を付して説明を省略する。
【００４４】
図２に示す空調システム２００においては、部屋１内において、上部給気口２１が設けられた壁部Ｗと対向する壁部Ｗ１に設けられた出入り口３０に臨む領域に位置する床部Ｆに下部給気口２２が設けられている。出入り口３０には開閉戸３１が設けられている。また、壁部Ｗ及び壁部Ｗ１と９０度をなして交差する壁部Ｗ２の正面に沿って放熱器１１が配置されている。
【００４５】
建物１０の内部において、出入り口３０に臨む領域に位置する床部Ｆは、本来、家具や調度品などを設置できない場所であるため、この場所に下部給気口２２を設ければ、下部給気口２２を設置する場所の選定に迷う必要がなく、家具や調度品などの配置状態が制約されることもなくなる。また、床部Ｆの前記部分に下部給気口２２を設ければ、壁部の上方に設けられることの多い排気経路の排気口（図示せず）に向かって空気が流動するときに、部屋１内を淀みなく空気流が通過するので、より確実な空調作用、換気作用を得ることができる。
【００４６】
下部給気口２２の形状や構造は限定しないが、例えば、床部Ｆに開設された開口部にグリルなどの通気部材を設置することによって形成することができる。なお、下部給気口２２を設けた領域は人間やペットなどが通行する可能性のある場所でもあるため、下部給気口２２上に荷重が加わったときに破損しない程度の強度を有する構造とすることが望ましい。なお、前述した図１及び図２などにおいては、下部給気口２２が周囲の床面Ｆより高く突出した状態に描かれているが、これは、下部給気口２２の存在を明確にするための表現であり、実際には、下部給気口２２で躓いたり、下部給気口２２に足が引っ掛かったりしないように、下部給気口２２と周囲の床面Ｆとが略同一平面をなす構造（下部給気口２２と周囲の床面Ｆとの間に段差が生じない構造）とすることが望ましい。
【００４７】
図３に示す空調システム３００においては、建物１０の部屋１，２内の天上部Ｃに上部給気口２１が設けられ、床部Ｆの上部給気口２１と対向する部分に下部給気口２２が設けられている。下部給気口２２は、床部Ｆにおいて部屋１，２の出入り口３０に臨む部分に位置している。
【００４８】
上部給気経路１４ａの下流側は、建物１０内の天井部Ｃ上方に設けられた上部通気経路３５を経由して各部屋１，２の上部給気口２１に連通している。下部給気経路１４ｂの下流側は、建物１０内の床部Ｆ下方に設けられた下部通気経路３６を経由して各部屋１，２の下部給気口２２に連通している。上部給気口２１及び下部給気口２２にはそれぞれ開閉手段２１ａ，２２ａが設けられている。
【００４９】
また、図３に示す空調システム３００においては、建物１０の天井部Ｃ上方にダクトレス空間を気密状に形成し、このダクトレス空間を上部通気経路３５とし、建物１０の床部Ｆ下方にダクトレス空間を気密状に形成し、このダクトレス空間を下部通気経路３６としている。
【００５０】
夏場（冷房時）は、図３（ａ）に示すように、給気経路１４から導入された外気（図１中の熱交換器１７で温度調節された冷気）の温度を感知して、給気切替手段２３が上部給気経路１４ａを開放し、下部給気経路１４ｂを閉止する。また、上部給気口２１の開閉手段２１ａが開放され、下部給気口２２の開閉手段２２ａが閉止される。従って、給気経路１４から導入された外気（冷気）は、上部給気経路１４ａ及び上部通気経路３５を経由して、上部給気口２１から各部屋１，２内へ吹き出され、矢線で示すように各部屋１，２内を流動する。
【００５１】
冬場（暖房時）は、図３（ｂ）に示すように、給気経路１４から導入された外気（図１中の熱交換器１７で温度調節された暖気）の温度を感知して、給気切替手段２３が上部給気経路１４ａを閉止し、下部給気経路１４ｂを開放する。また、上部給気口２１の開閉手段２１ａが閉止され、下部給気口２２の開閉手段２２ａが開放される。従って、給気経路１４から導入された外気（暖気）は、下部給気経路１４ｂ及び下部通気経路３６を経由して、下部給気口２２から各部屋１，２内へ吹き出され、矢線で示すように各部屋１，２内を流動する。
【００５２】
このように、空調システム３００においては、給気経路１４を経由して導入された外気（熱交換器１７で温度調節された冷気若しくは暖気）の温度を感知して、給気切替手段２３が外気の流動方向を上部給気経路１４ａ若しくは下部給気経路１４ｂのいずれかに切り替えるとともに、上部通気経路３５に連通する上部給気口２１、下部通気経路３６に連通する下部給気口２２がそれぞれ開閉手段２１ａ，２２ａで開閉されるので、季節に応じた、温度ムラのない空調を行うことができ、空調効率の向上に有効である。なお、上部給気口２１及び下部給気口２２の開閉手段２１ａ，２２ａは開閉・閉止のみを行う開閉機能だけでなく、開度を調節する機能を付加することもでき、上部給気口２１、下部給気口２２を通過する調和空気の流量を調節することができる。開閉手段２１ａ，２１ｂの駆動方式は限定しないので、ワックスセンサやモータなど任意の駆動手段を選択して使用することができる。
【００５３】
また、給気経路１４を経由して建物１０内に導入された外気を、ダクトレス空間である上部通気経路３５や下部通気経路３６を利用して各部屋１，２に供給することができるので、建物１０内に外気導入用のダクトを施工する必要がなくなり、資材の削減及び施工の容易化を図ることができる。また、上部通気経路３５、下部通気経路３６として利用する前記ダクトレス空間には、熱交換器で温度調節された外気が流通し、これにより、前記ダクトレス空間を区画形成する床部Ｆや天井部Ｃを介して部屋１，２内に輻射効果が生じるので、空調効果が向上する。なお、２階建て以上の建物の場合、上階と下階との間の階間空間内に気密状に形成されたダクトレス空間を給気経路の少なくとも一部をなす通気経路とすることもできる。
【００５４】
図４に示す空調システム４００においては、給気経路１４を経由して導入される外気（熱交換器１７で温度調節された冷気若しくは暖気）を建物１０の部屋３内へ供給するため、部屋３内の壁部Ｗ３の上方に給気経路１４と連通する給気口４０が設けられ、給気口４０から吹き出す外気の方向を上下方向に変更可能な風向切替手段４１が設けられている。
【００５５】
このような構成とすれば、冷房時は、図４（ａ）に示すように、給気手段１５で導入され熱交換器１７にて冷却された外気（冷気）を給気口４０から部屋３内の上方領域に向けて吹き出すことにより、天井部Ｃを這うように外気（冷気）を導入することができ、暖房時は、図４（ｂ）に示すように、給気手段１５で導入され熱交換器１７にて加熱された外気（暖気）を給気口４０から部屋３内の下方領域に向けて吹き出すことにより、床部Ｃを這うように外気（暖気）を導入することができる。従って、冷房時及び暖房時のいずれの時期においても部屋３内の空調温度の格差を解消することができ、空調効率も向上する。
【００５６】
次に、図５に基づいて、図２に示す空調システム２００における給気口２２の設置場所について説明する。図５に示すように、建物１０の内部において、部屋１の出入り口３０に配備された開閉手段であるドア３１の開閉動作領域３１ｄ下方に位置する床面Ｆは、本来、家具などを設置できない場所であるため、このような場所に給気口２２を設ければ、給気口の設置場所の選定に迷う必要がなくなり、家具や調度品などの配置状態が制約されることもない。
【００５７】
また、図５に示すような場所に給気口２２を設ければ、壁面の上方に設けられることの多い、排気経路の排気口に向かって空気が流動するときに、部屋１内を淀みなく空気流が通過するので、より確実な空調作用、換気作用を得ることができる。さらに、給気口２２に指向性を持たせれば、給気口２２から吹き出した気流が部屋を一巡するようにすることができるので空調作用、換気作用の向上に有効である。そのほか、給気口２２は、建物内の物品収納部の開閉手段の動作範囲の下方に位置する床面（図示せず）に設けることもできる。
【００５８】
なお、図１〜図５に基づいて説明した実施形態は本発明に係る空調システムを例示したものであり、本発明の空調システムは前述した実施形態に限定されない。
【産業上の利用可能性】
【００５９】
本発明の空調システムは、戸建て住宅や集合住宅などの各種建築物における空調手段として、建築・建設産業の分野で広く利用することができる。
【符号の説明】
【００６０】
１００，２００，３００，４００  空調システム
１，２，３  部屋
１０  建物
１１  放熱器
１２  熱源機
１３  第１流通経路
１４  給気経路
１４ａ  上部給気経路
１４ｂ  下部給気経路
１５  給気手段
１６  清浄化手段
１７  熱交換器
１８  第２流通経路
２１  上部給気口
２１ａ，２２ａ  開閉手段
２２  下部給気口
２２,４０  給気口
２３  給気切替手段
２３ａ  ワックスセンサ
２３ｂ  開閉羽根
２３ｃ  リンク
２４  分岐部
３０  出入り口
３１  開閉戸
３１ｄ  開閉動作領域
３５  上部通気経路
３６  下部通気経路
４１  風向切替手段
Ｃ  天井部
Ｆ  床部
Ｗ，Ｗ１，Ｗ２，Ｗ３  壁部
【図１】
2015055434.tif 000003
【図２】
2015055434.tif 000004
【図３】
2015055434.tif 000005
【図４】
2015055434.tif 000006
【図５】
2015055434.tif 000007